(57)【特許請求の範囲】
【請求項１】
中空板の支持壁条を長手方向に用いた基板の下面に
帯形状基板を前記支持壁条に直交して短手方向両端に渡り複数設け
それぞれの前記帯形状基板の下面両端近傍から中央方向へ回転移動体を複数設け
中空板の支持壁条を長手方向に用いた前記基板と同型同大の押さえ板に
前記回転移動体に相対して透孔を設け
前記基板の下方から前記回転移動体を前記透孔に貫通して前記帯形状基板に接合し
前記基板と前記押さえ板の周縁にコ形状部材を冠着接合して構成し
短手方向に摺動することを特徴とする、摺動担架の軽量化製作法。
【請求項２】
中空板の支持壁条を長手方向に用いて大基板と小基板を構成し
該大基板と該小基板を回転自在に接続する構成にし
該大基板と該小基板の下面に支持壁条に直交して短手方向両端に渡り帯形状基板を複数設け
該大基板と該小基板の接続する側の前記帯形状基板はそれぞれの接続する側端近傍に設け
それぞれの帯形状基板下面に短手方向両端近傍から中央方向へ回転移動体を複数設け
中空板の支持壁条を長手方向に用いて前記大基板と前記小基板と同型同大の大押さえ板と小押さえ板を構成し
該大押さえ板と該小押さえ板に前記回転移動体に相対して透孔を設け
前記大基板の下方から該大押さえ板の透孔に前記回転移動体を貫通し前記帯形状基板に該大押さえ板を接合して大摺動板を構成し
前記小基板の下方から該小押さえ板の透孔に前記回転移動体を貫通し前記帯形状基板に該小押さえ板を接合して小摺動板を構成し
前記大摺動板の周縁にコ形状部材を冠着接合し
前記小摺動板の周縁にコ形状部材を冠着接合し
前記大摺動板と前記小摺動板を回転自在に接続して構成し
短手方向に摺動することを特徴とする、摺動担架の軽量化製作法。
【請求項３】
前記基板と前記大基板と小基板の上面に緩衝部材を設け、
前記押さえ板と前記大押さえ板と前記小押さえ板の下面に美装部材を設けることを特徴とする、請求項１及び２に記載の摺動担架の軽量化製作法。
【発明の詳細な説明】
【技術分野】
【０００１】
本発明は患者や要介護者を移動させるための、摺動担架を軽量に製造する方法に関するものである。
【背景技術】
【０００２】
人体移動板が知られている。（特許文献１参照）
【特許文献１】特願２０１３−１３９４９７
【発明の開示】
【発明が解決しようとする課題】
【０００３】
そのために次のような問題点があった。
搭乗者の体重を保持するための構成に強固な部材を用いるため、全体重量が大きくなり、取り扱いに大きな労力を必要としていた。
【課題を解決するための手段】
【０００４】
請求項１の発明によれば
中空板の支持壁条を長手方向に用いた基板の下面に
帯形状基板を前記支持壁条に直交して短手方向両端に渡り複数設け
それぞれの前記帯形状基板の下面両端近傍から中央方向へ回転移動体を複数設け
中空板の支持壁条を長手方向に用いた前記基板と同型同大の押さえ板に
前記回転移動体に相対して透孔を設け
前記基板の下方から前記回転移動体を前記透孔に貫通して前記帯形状基板に接合し
前記基板と前記押さえ板の周縁にコ形状部材を冠着接合して構成し
短手方向に摺動することを特徴とする。
請求項２の発明によれば
中空板の支持壁条を長手方向に用いて大基板と小基板を構成し
該大基板と該小基板を回転自在に接続する構成にし
該大基板と該小基板の下面に支持壁条に直交して短手方向両端に渡り帯形状基板を複数設け
該大基板と該小基板の接続する側の前記帯形状基板はそれぞれの接続する側端近傍に設け
それぞれの帯形状基板下面に短手方向両端近傍から中央方向へ回転移動体を複数設け
中空板の支持壁条を長手方向に用いて前記大基板と前記小基板と同型同大の大押さえ板と小押さえ板を構成し
該大押さえ板と該小押さえ板に前記回転移動体に相対して透孔を設け
前記大基板の下方から該大押さえ板の透孔に前記回転移動体を貫通し前記帯形状基板に該大押さえ板を接合して大摺動板を構成し
前記小基板の下方から該小押さえ板の透孔に前記回転移動体を貫通し前記帯形状基板に該小押さえ板を接合して小摺動板を構成し
前記大摺動板の周縁にコ形状部材を冠着接合し
前記小摺動板の周縁にコ形状部材を冠着接合し
前記大摺動板と前記小摺動板を回転自在に接続して構成し
短手方向に摺動することを特徴とする。
請求項３の発明によれば、
前記基板と前記大基板と小基板の上面に緩衝部材を設け、
前記押さえ板と前記大押さえ板と前記小押さえ板の下面に美装部材を設けることを特徴とする。
【発明の効果】
【０００５】
子供や女性が片手で持ち上げ可能な重量構成になり、使用収納移動が容易になる。
【発明を実施するための最良の形態】
【０００６】
以下、本発明の実施の形態を説明する。
図１（Ａ）は１枚で構成する本発明の完成斜視図で、
引き手３を設けて摺動を容易にし、施設など多人数の集合室で頻繁な利用の際便利に構成している。
長手方向は１２００ｍｍ〜１８００ｍｍ、短手方向３００ｍｍ〜６００ｍｍで、
大人用は長手方向１８００ｍｍ短手方向４５０ｍｍが最も好ましく、
子供用は長手方向１５００ｍｍ短手方向３００ｍｍで良いが、年齢により大きさを大人用に近づけて構成し、
回転移動体１の数は１６個〜４０個で、
大人用は３７個子供用は２７個が軽量化と強度が得られて最も好ましい。
【０００７】
短手方向の両端近傍に位置する回転移動体１の位置は、短手方向両端に出来るだけ近くに設けるが良く、理由は搭乗者が寝返りで搭乗する際、短手方向端部に先ず体重がかかり、短手方向端部と回転移動体１の間が破損し易いためである。
（Ｂ）は、（Ａ）の構成を基本とし、大小２枚で構成した完成斜視図で家庭内の使用では収納移動に便利であり、
構成は、上面に緩衝部材５を貼り、人が臥床した際、腰部Ｃが床への体重がかかりにくいので、腰部Ｃ近傍を接合部９とすることで、折畳部材８が上方へ隆起や突出しても、臥床者への負担を少なくするためである。
【０００８】
（Ｃ）は、臥床人体Ｂの腰部Ｃ近傍に接合部９を設けて大小２枚で構成し、上面方向へ折畳展開自在に折畳部材８で接続し、
腰部Ｃより下半身を大板６にして長手方向が１１００ｍｍ〜９００ｍｍ、短手方向が４５０ｍｍ〜３００ｍｍで、
大人用は長手方向１１００ｍｍ短手方向４５０ｍｍが最も好ましく、
子供用は長手方向９００ｍｍ短手方向３００ｍｍが最も好ましく、
腰部Ｃより上半身を小板７にして長手方向が９００ｍｍ〜５００ｍｍ短手方向が４５０ｍｍ〜３００ｍｍで、
大人用は長手方向７００ｍｍ短手方向４５０ｍｍが最も好ましく、
子供用は長手方向５００ｍｍ短手方向３００ｍｍが最も好ましく、
短手方向の両端に位置する回転移動体１の位置は、短手方向両端に出来るだけ近傍に設け、
搭乗者が寝返りで搭乗する際、短手方向端部に先ず体重がかかり、短手方向端部と回転移動体１の間が破損するのを防止し、
また、搭乗者が搭乗した際に接合部９が陥没するので、接合部９の回転移動体１の位置は接合部９の出来るだけ近傍に設ける。
【０００９】
回転移動体１の数は１６個〜４０個で、
大人用は３７個子供用は２７個が軽量化と強度が得られて最も好ましい。
人体重量は、胴部と臀部が最大であるから、
頭部と胴部を支持する小板７については、
接続部から遠い頭部支持位置に回転移動体１を３個を１条列置し、
接続部位側に胴部を支持する回転移動体１を５個を３条に配置し、
大板６については、
接合部９側の臀部を支持する位置に５個を２条配置し、
接続部から遠く軽量である下肢を支持する位置に回転移動体１を３個を３条配置している。
大板６と小板７それぞれの上面端を、折畳部材８をボルトナットで上面側に、上方へ折畳展開自在に接続しているが、折畳展開な部材であればゴム板や布などどのような部材でもよい。
【００１０】
大板６と小板７の、それぞれの全周縁にコ形状部材４（アルミニュームや炭素繊維素材などの剛性部材）を嵌設して補強し、
大板６と小板７の、それぞれの接合部９側の回転移動体１を短手方向に配置した条は、
大板６と小板７の、それぞれの接合部９側のコ形状部材４に接近した部位に設けて、
搭乗者の体重で接合部９が陥没するのを防止するべく設けている。
又、搭乗者が寝返りで搭乗する際、摺動担架Ａが短手方向に傾斜し、
短手方向側コ形状部材４と短手方向に設けた回転移動体１に搭乗者の体重が集中し、
コ形状部材４と短手方向端に設けた回転移動体１の間が、
損傷し易くなるのを防止するため、
大板６と小板７の、それぞれの短手方向両側に設ける回転移動体１は、
短手方向両側のコ形状部材４に構造上可能な範囲で接近した部位に設けている。
下面を美装部材２で美装し、
折畳部材８をそれぞれの接合部９のコ形状部材４に接続して強固に接合し、それぞれに引き手３を設けている。
【００１１】
図２（Ａ）は、
中空部１６と支持壁１７を有する合成樹脂製中空板（ポリカーボネート製やアクリル製や炭素繊維製）を基板１０として用い、
支持壁１７の条を長手方向に用いることで、長手方向の曲げ強度は確保しているが、短手方向は曲げ強度が弱いので補強する必要がある。
対策として、基板１０（大板と小板の基板も同じ、以下同じ）の下面に帯形状基板１４を、基板１０の支持壁１７条に直角に短手方向両端に渡して接着し強度を得ると同時に、
回転移動体支持部１１を接着する部材として用いている。
帯形状基板１４は、長手方向が基板１０の短手方向と同じ大きさで、短手方向が回転移動体支持部１１よりやや大きく構成し、
図１（Ａ）及び（Ｃ）に示す回転移動体の９列を基板１０に配置接着し、
帯形状押さえ板１５を、長手方向が帯形状基板１４と同じ長さで、短手方向が回転移動体支持部１１の内側の幅よりやや小さく構成し、
それぞれの回転移動体支持部１１の内側に貫通し、
回転移動体支持部１１と帯形状基板１４の隙間に隙間板１２を挿入し、
接着剤１８で回転移動体支持部１１と帯形状押さえ板１５と隙間板１２を帯形状基板１４に一体して接着する。
隙間板を使用しない構成では、隙間に接着剤を多く充填して固化させ、隙間板の代用とする。
【００１２】
これにより、帯形状基板１４を帯形状押さえ板１５で更に補強し、同時に回転移動体１を帯形状基板１４に接合する構成にしている。
これにより、基板１０の長手方向と短手方向の曲がり強度が向上し、軽量にして強固な基板１０を得る。
更に強度を増すために、回転移動体支持部１１を接着した帯形状基板１４との間に、回転移動体支持部１１を接着しない帯形状基板１４を設けても良い。
（Ｂ）はＡーＡ断面図で１個の回転移動体支持部１１が接合した状態の断面を示し、
基板１０に帯形状基板１４を接着剤１８（合成樹脂用接着剤、以下同じ）で接着し、
回転移動体支持部１１を帯形状基板１４に接着剤１８で接着し、
回転移動体支持部１１の間に帯形状押さえ板１５を貫通し、
回転移動体支持部１１と帯形状押さえ板１５の隙間に回転移動体支持部１１と同じ厚みの隙間板１２を挿入し、
【００１３】
隙間板１２と帯形状押さえ板１５と回転移動体支持部１１を接着剤１８で一体にして接着すると、
帯形状基板１４と回転移動体支持部１１と隙間板１２と帯形状押さえ板１５の全体が接着剤１８（合成樹脂用）で覆われ一体化して基板１０に接着し、
基板１０に回転移動体１の強固な接合を得る。
図３（Ａ）は、  軽量化構造のため、合成樹脂製中空板（ポリカーボネート製やアクリル製や炭素繊維製）を基板１０（大板と小板の基板も同じ、以下同じ）として使用している結果、長手方向及び短手方向の曲げ強度が弱い。図２（Ａ）に示し前述したように補強するが、大人の体重差は、５５ｋｇ位から１００ｋｇ以上まである。
このことから強度を更に増大するため以下の構成をする。
中空部１６と支持壁１７を有する合成樹脂製中空板（ポリカーボネート製やアクリル製や炭素繊維製）を、
支持壁１７の条を長手方向に用いて長手方向の曲げ強度を確保し、
基板１０と同型同大にして押さえ板Ｄとして用い、
回転移動体１に相対して押さえ板Ｄに透孔２１を設け、
【００１４】
基板１０の下面から回転移動体１を透孔２１に貫通して帯形状板に接着剤１８で接着すると、
帯形状基板１４と帯形状押さえ板１５を介して基板１０と押さえ板Ｄが接合し、基板１０全面をより強度を増し、
更に、基板１０と押さえ板Ｄの周縁の隙間を周縁充填部材２０で充填し、
押さえ板Ｄと周縁充填部材２０と基板１０を接着剤１８で接着すると、周縁部がより強度を増し、
全周縁端部にコ形状部材４（アルミニューム又は木又は硬質樹脂又は炭素繊維で構成）を冠着し接着剤１８で接着すると、
全周縁を更に補強すると同時に美装される。
押さえ板Ｄ下の全面に美装部材２（壁部材や床部材や人工皮革など）を貼り、
透孔２１に相対して切開孔設け回転移動体１を突出させる。
【００１５】
（Ｂ）は、ＡーＡ断面図で、回転移動体１を基板１０に接合する状態を示し、
基板１０の下面に帯形状基板１４を接着し、回転移動体支持部１１を帯形状基板１４に接合し、
回転移動体支持部１１内側に帯形状押さえ板１５を貫通して接着剤１８で接着し、
基板１０と帯形状基板１４の間隙に隙間板１２を充填し接着剤１８で接着し、
美装部材２を下面に貼った押さえ板Ｄの、透孔２１を覆う美装部材２を切開し（図Ｂ、Ｃ、Ｄ参照）、
透孔２１を貫通して下方に回転移動体１を押さえ板Ｄより突出させ、
押さえ板Ｄを帯形状押さえ板１５に接着剤１８で接着し、
コ形状部材４を、基板１０と周縁充填部材２０（桐板やバルサ板などの軽量部材）と押さえ板Ｄの端面に冠着し接着剤１８で接着している。
【００１６】
これにより、基板１０の長手方向と短手方向の曲がりは、コ形状部材４により周縁部を強化し、帯形状基板１４と回転移動体支持部１１と帯形状押さえ板１５の一体接着により、全面を強固にできる。
基板１０上面には緩衝部材５を接着して、搭乗者の不快感を軽減し、押さえ板Ｄの下面には美装部材２を接着して外観を美装し、介助者や搭乗者の気分的不快さの軽減を図っている。
図４（Ａ）は、回転移動体１の部分の断面図で、基板１０上面に緩衝部材５を貼り、
押さえ板Ｄに美装部材２を貼り、帯形状押さえ板１５の下面に美装部材２を貼り、
透孔２１内に美装部材切片２２を起立して、切片端部２３を帯形状押さえ板１５に貼り付けると、起立部分の長さが不足し帯形状押さえ板１５が露出するので、帯形状押さえ板１５に美装部材２を貼っている。
押さえ板Ｄに美装部材２を貼る目的は、押さえ板Ｄに用いる中空板の支持壁１７の素材が露呈しており美装する必要がある。
押さえ板Ｄに美装加工されている部材を使用することで、美装部材２を必要としない。
【００１７】
（Ｂ）は、透孔２１部分の美装部材２に、切開部１９で３箇所切開し、
（Ｃ）は、美装部材切片２２を透孔２１内に起立し、帯形状押さえ板１５に接触する部位を切片端部２３とし、
（Ｄ）は、基板１０の下面に押さえ板Ｄを装着した完成の状態を示し、
帯形状押さえ板１５の下面に美装部材２を貼り、
回転移動体支持部１１の内側に美装部材切片２２が入り、隙間が生じるが帯形状押さえ板１５の下面の美装部材２により、下面からの外観が美装される。（断面図は（Ａ）を参照）
【図面の簡単な説明】
【００１８】
【図１】(Ａ)は１枚で構成した完成斜視図、(Ｂ)は２枚で構成し腰部で接続した横視図、(Ｃ)は２枚で構成した下方斜視図、
【図２】(Ａ)は基板に回転移動体を接続する下方斜視図、(Ｂ)は回転移動体を接続する断面図、
【図３】(Ａ)は押さえ板の透孔とコ形状部材の構成下方斜視図、(Ｂ)は回転移動体での断面図、
【図４】（Ａ）は、美装部材を設けた断面図、（Ｂ）は押さえ板下面の美装部材を設けて孔に切開部を設けた下方斜視図、（Ｃ）は孔に切片端部を設けた下方斜視図、（Ｄ）は孔に回転移動体を貫設し美装した下方斜視図、
【符号の説明】
【００１９】
Ａ摺動担架
Ｂ臥床人体
Ｃ腰部
Ｄ押さえ板
１回転移動体
２美装部材
３引き手
４コ形状部材
５緩衝部材
６大板
７小板
８折畳部材
９接合部
１０基板
１１回転移動体支持部
１２隙間板
１４帯形状基板
１５帯形状押さえ板
１６中空部
１７支持壁
１８接着剤
１９切開部
２０周縁充填部材
２１透孔
２２美装部材切片
２３切片端部
【要約】
【課題】本発明は、摺動担架を軽量に製作する方法を提供する。
【手段】中空板の支持壁条を長手方向に用いた基板の下面に、帯形状基板を前記支持壁条に直交して短手方向両端に渡り複数設け、
それぞれの前記帯形状板の下面両端近傍から中央方向へ回転移動体を複数設け、
該回転移動体を前記帯形状基板に接合し、
前記基板と同型同大の中空板の支持壁条を長手方向に用いた押さえ板に前記回転移動体に相対して透孔を設け前記基板の下方から前記回転移動体を前記透孔に貫通して前記基板と前記帯形状押さえ板に接合し、
前記基板と前記押さえ板の周縁にコ形状部材を冠着接合して構成する。
【選択図】  図１【図１】
0005457603.tif 000002
【図２】
0005457603.tif 000003
【図３】
0005457603.tif 000004
【図４】
0005457603.tif 000005